(57)【特許請求の範囲】
【請求項１】
可動電極と、固定電極と、前記固定電極の端部に取付けたチューリップ接触子と、前記固定電極に取付けた導電性の材料からなる消弧筒と、前記消弧筒の外周に巻装したアーク駆動コイルと、前記消弧筒の下部に設けたアークランナとを備え、前記両電極間に発生したアークを前記アークランナに移行させ前記アーク駆動コイルにより回転させて消弧する回転アーク形ガス遮断器において、
前記チューリップ接触子を囲み一端を前記固定電極に固定し、他端を前記消弧筒に固定した導電性の材料からなる筒体を設け、前記筒体と前記消弧筒との間に絶縁環を設け、前記アーク駆動コイルは前記筒体と前記消弧筒の外周に設け、コイルの一端を前記筒体に、他端を前記消弧筒にそれぞれ接続したことを特徴とする回転アーク形ガス遮断器。
【発明の詳細な説明】
【０００１】
【産業上の利用分野】
本発明は、消弧性ガス中でアークを回転させて消弧する回転アーク形ガス遮断器に関するものである。
【０００２】
【従来の技術】
従来の回転アーク形ガス遮断器は、図２に示すように絶縁材よりなる円筒状の容器１の上端に導電材の支持台２に固定された固定電極３が設けられ、この固定電極にチューリップ接触子４が取付けてある。５は固定電極に取付けた外部端子、６は銅等の導電材よりなる円筒状の消弧筒で、チューリップ接触子４を囲み絶縁材の保持板７を介して固定電極３に取付けてある。消弧筒６の端部には導電材よりなる環状のアークランナ８が設けてある。９は消弧筒の外周に巻装したアーク駆動コイルで、一端をアークランナ８に接続し、他端を埋め込みナット１０を介して固定電極３に接続してある。１１は合成樹脂材よりなる保持体で、消弧筒６を囲みアーク駆動コイル９、埋め込みナット１０および固定電極を一体に埋設し、容器１に固定してある。１２は可動接触子（可動電極）である。このように構成した回転アーク形ガス遮断器の開路指令により可動接触子１２がチューリップ接触子４から開離すると、可動接触子１２とチューリップ接触子４との間にアークが発生する。このアークは可動接触子１２とチューリップ接触子４とのギャップが拡大するにしたがって伸長し、チューリップ接触子４上のアーク足がアークランナ８に移行する。アーク足がアークランナ上に移行すると、アーク電流は可動接触子１２から消弧性ガス中を通り、アークランナ８よりアーク駆動コイル９を経て埋め込みナット１０を介して導電材の支持台２に流れる。アーク電流がアーク駆動コイル９を流れると、アーク駆動コイル９に磁界が発生し、消弧筒６に２次電流が流れ、アーク駆動コイル９による磁界と２次電流による磁界との合成磁束がアークに作用し、アークを回転させながら電流零点において消弧するようにしている。
【０００３】
【発明が解決しようとする課題】
しかしながら、このような従来の回転アーク形ガス遮断器は、消弧筒６を固定電極３に絶縁材の保持板７を介して取付け、消弧筒の外周に巻装したアーク駆動コイル９の一端を消弧筒に設けたアークランナに接続し、他端を保持体に埋設した埋め込みナット１０に接続し、この埋め込みナットと固定電極の支持台とをボルトで固定して電気的に接続しており作業が煩雑となるほか、消弧筒が銅等の導電材で一体に成形されているため消弧筒に発生する２次電流の大きさは消弧筒の材質によって定まり、アーク電流と合成磁束との位相差を適正にすることが難しかった。
本発明は、このよう課題を解決するためになされたもので、アーク駆動コイルの接続を簡単にして、確実に遮断出来るようにすることを目的とする。
【０００４】
【課題を解決するための手段】
上記の目的を達成するために、本発明は、可動電極と、固定電極と、前記固定電極の端部に取付けたチューリップ接触子と、前記固定電極に取付けた導電性の材料からなる消弧筒と、前記消弧筒の外周に巻装したアーク駆動コイルと、前記消弧筒の下部に設けたアークランナとを備え、前記両電極間に発生したアークを前記アークランナに移行させ前記アーク駆動コイルにより回転させて消弧する回転アーク形ガス遮断器において、前記チューリップ接触子を囲み一端を前記固定電極に固定し、他端を前記消弧筒に固定した導電性の材料からなる筒体を設け、前記筒体と前記消弧筒との間に絶縁環を設け、前記アーク駆動コイルは前記筒体と前記消弧筒の外周に設け、コイルの一端を前記筒体に、他端を前記消弧筒にそれぞれ接続した構成にしている。
【０００５】
【作用】
アーク駆動コイルを筒体あるいは消弧筒への接続が簡単となり、筒体あるいは消弧筒の材質を異種の金属あるいは同種の金属を選択して筒体あるいは消弧筒に発生する２次電流の大きさを適切にすることが出来る。
【０００６】
【実施例】
本発明を図に示す実施例について説明する。図１はガス遮断器の要部断面図である。図２と同一ものには同一の符号を付して詳細な説明を省略する。１３は容器１にＯリング１４を介して固定した固定電極で、一端に外部端子５が取付けられ、他端にチューリップ接触子４が取り付けてある。１５は銅よりなる円筒状の筒体で、チューリップ接触子４を囲み一端を固定電極１３に固定し、他端に絶縁環１６が固定してある。１７は銅よりなる円筒状の消弧筒で、一端を絶縁環１６に固定し、他端にアークランナ８が固定してある。１８はアーク駆動コイルで、一端をアークランナ８に固定し、他端を筒体１５に固定してある。１９は筒体１５、絶縁環１６、消弧筒１７およびアーク駆動コイル１８を合成樹脂材で一体に成形してなる保持体である。製作するときは、筒体１５の一端に絶縁環１６を固定し、この絶縁環１６の上に消弧筒１７を固定する。つぎにアーク駆動コイル１８を筒体１５および消弧筒１７の外周に巻装し、一端を筒体１５に電気的に接続し他端を消弧筒１７に電気的に接続する。このように構成したものを図示しないモールド枠に固定し、合成樹脂を流して筒体１５、消弧筒１７およびアーク駆動コイル１８とを一体に保持体１９を構成する。このように構成したものにアークランナ８を取付け、固定電極１３にねじ締め固定してガス遮断器を構成している。このように構成したガス遮断器は遮断するに、可動接触子１２がチューリップ接触子４から開離して発生したチューリップ接触子４上のアーク足がアークランナ８に移行すると、アーク電流は可動接触子１２から消弧性ガス中を通り、アークランナ８よりアーク駆動コイル１８を経て固定電極１３に流れる。アーク電流がアーク駆動コイル１８を流れると、アーク駆動コイル１８に磁界が発生し、筒体１５および消弧筒１７に２次電流が発生する。アーク駆動コイル１８による磁界とこれら２次電流による磁界との合成磁束がアークに作用し、アークを回転させながら電流零点において消弧するようにしている。実施例では筒体１５を銅で構成し、消弧筒１７を銅で構成したが、これに限ることなく、筒体１５に銅を用い、消弧筒１７に真鍮を用い、あるいは筒体１５に銅を用い、消弧筒１７にステンレスを用いてもよい。これにより、アークに近い消弧筒１７では、誘起される２次電流を抑えてアークに作用する磁束の減少を抑え、アークから離れている筒体１５に誘起される２次電流によって最適な合成磁界とすることが出来る。このため、消弧に必要な磁束を減らすことなく、最適な合成磁界を得ることが出来る。
【０００７】
【発明の効果】
本発明は上述のように構成したので、アーク駆動コイルを筒体あるいは消弧筒への接続が簡単となり、筒体あるいは消弧筒の材質を異種の金属あるいは同種の金属を選択して筒体あるいは消弧筒に発生する２次電流の大きさを適切にすることが出来る。
【図面の簡単な説明】
【図１】本発明のガス遮断器の要部断面図
【図２】従来のガス遮断器の要部断面図
【符号の説明】
１  容器
２  支持台
３  固定電極
４ チューリップ接触子
５  外部端子
６  消弧筒
７  保持板
８ アークランナ
９  アーク駆動コイル
１０  埋め込みナット
１１  保持体
１２  可動接触子
１３ 固定電極
１４  Ｏリング
１５ 筒体
１６ 絶縁環
１７ 消弧筒
１８ アーク駆動コイル
１９  保持体
【図１】
0003644061.tif 000002
【図２】
0003644061.tif 000003